(57)【要約】      （修正有）【課題】建設機械における情報管理を紙媒体形式から情報端末形式に容易に変更することができ、建設現場における情報管理を簡素化できる建設機械用情報管理タグと建設機械を提供する。【解決手段】情報管理タグ１は、建設機械に取り付けられ、情報コード２１が設けられた基材１３と、基材の上に積層された透明な上層材１５と、基材の下に積層され接着性又は吸着性を有する下層材１７と、を具備し、下層材を介して建設機械に取り付けられ、情報コードを携帯情報端末で読み取って情報管理システムに入力することで建設機械における情報管理を紙媒体形式から情報端末形式に容易に変更する。【選択図】図２
0003229406.tif 000002
【実用新案登録請求の範囲】
【請求項１】
建設機械に取り付けられ、
情報コードが設けられた基材と、
上記基材の上に積層された透明な上層材と、
上記基材の下に積層され接着性又は吸着性を有する下層材と、
を具備し、
上記下層材を介して上記建設機械に取り付けられることを特徴とする建設機械用情報管理タグ。
【請求項２】
請求項１記載の建設機械用情報管理タグにおいて、
上記基材は上記情報コードの印刷が可能な紙であることを特徴とする建設機械用情報管理タグ。
【請求項３】
請求項１又は請求項２記載の建設機械用情報管理タグにおいて、
上記上層材はセルロースナノファイバー製のシートであることを特徴とする建設機械用情報管理タグ。
【請求項４】
請求項１〜請求項３の何れかに記載の建設機械用情報管理タグにおいて、
上記下層材はマグネットシートであることを特徴とする建設機械用情報管理タグ。
【請求項５】
請求項１〜請求項４の何れかに記載の建設機械用情報管理タグにおいて、
上記基材、上記上層材、上記下層材は、それぞれ剥離可能であることを特徴とする建設機械用情報管理タグ。
【請求項６】
請求項１〜請求項５の何れかに記載の建設機械用情報管理タグにおいて、
上記建設機械のアウトリガーの内面に取り付けられることを特徴とする建設機械用情報管理タグ。
【請求項７】
請求項１〜請求項５の何れかに記載の建設機械用情報管理タグにおいて、
上記建設機械の目視可能部位に取り付けられることを特徴とする建設機械用情報管理タグ。
【請求項８】
請求項１〜請求項７の何れかに記載の建設機械用情報管理タグにおいて、
上記情報コードは二次元コードであることを特徴とする建設機械用情報管理タグ。
【請求項９】
請求項１から請求項８の何れかに記載の建設機械用情報管理タグを取り付けたことを特徴とする建設機械。
【考案の詳細な説明】
【技術分野】
【０００１】
本考案は、建設機械用情報管理タグと建設機械に係り、特に、建設機械における情報管理を紙媒体形式から情報端末形式に容易に変更することができ、それによって、建設現場における情報管理を簡素化できるように工夫したものに関する。
【背景技術】
【０００２】
建設現場において、建設機械の管理情報は概略次のように取り扱われる。まず、建設機械の管理情報には、建設機械の仕様に関する情報と、年次点検記録のような各種法定に基づく情報とがある。又、コンクリートポンプ車等においては、建設機械を操作する作業者の情報が含まれる場合もある。
【０００３】
上記建設機械の管理情報は建設現場にて建設機械所有者から元請けである使用者に提供することが義務化されている。現状、そのような情報提供は殆どの場合紙媒体を用いて提出されている。その為、建設機械所有者は、その都度、建設機械の管理情報を印刷して提出しなければならず、その作業は煩雑なものであった。又、建設現場での過酷な状況下、特に風雨がある状態においては、印刷物が風雨により汚損して、そもそも情報媒体としての機能を果たさないことも懸念されていた。
【０００４】
又、近年では、使用者が建設機械の管理情報を情報管理システムによって管理しており、提出された紙媒体をスキャン等により電子化して上記情報管理システムに入力しなければならず、この作業も煩雑であった。
【０００５】
そこで、情報管理を情報端末を使用して行うことが提案されている。その種の構成を開示すものとして、例えば、特許文献１に記載された「建設機械における情報管理システム、制御装置、携帯端末、及び表示制御方法」、特許文献２に記載された「建設機械における制御装置、携帯端末、及び表示制御方法」がある。何れの場合も、建設機械の機械情報を示す二次元バーコードを生成し、上記二次元バーコードを建設機械の運転部の表示部に表示し、その表示された二次元バーコードを携帯端末で読み取って情報管理システムに入力する。
【先行技術文献】
【特許文献】
【０００６】
【特許文献１】特開２０１３―３７６１９号公報
【特許文献２】特開２０１３―３６２７８号公報
【非特許文献】
【０００７】
【非特許文献１】ケンセツプラス  ２０１９年２月１４日  掲載記事  建設業界に革新をもたらすカメレオンコードとは？自動認識技術の事例と未来
【考案の概要】
【考案が解決しようとする課題】
【０００８】
しかしながら上記従来の構成では次のような問題があった。
すなわち、  特許文献１に記載された「建設機械における情報管理システム、制御装置、携帯端末、及び表示制御方法」、特許文献２に記載された「建設機械における制御装置、携帯端末、及び表示制御方法」では、建設機械の運転部の表示部に二次元バーコードを表示し、この二次元バーコードを携帯端末で読み取るようにしている。
このような情報端末形式のシステムを、何ら設備を備えていない既存の建設機械に導入しようとすると、大掛かりな設備を追加しなければならず、煩雑であり多くの労力や費用が必要となってしまうという問題があった。
【０００９】
本考案はこのような点に基づいてなされたものでその目的とするところは、建設機械における情報管理を紙媒体形式から情報端末形式に容易に変更することができ、それによって、建設現場における情報管理を簡素化できる建設機械用情報管理タグと建設機械を提供することにある。
【課題を解決するための手段】
【００１０】
上記課題を解決するべく本願考案の請求項１による建設機械用情報管理タグは、建設機械に取り付けられ、情報コードが設けられた基材と、上記基材の上に積層された透明な上層材と、上記基材の下に積層され接着性又は吸着性を有する下層材と、を具備し、上記下層材を介して上記建設機械に取り付けられることを特徴とするものである。
又、請求項２による建設機械用情報管理タグは、請求項１記載の建設機械用情報管理タグにおいて、上記基材は上記情報コードの印刷が可能な紙であることを特徴とするものである。
又、請求項３による建設機械用情報管理タグは、請求項１又は請求項２記載の建設機械用情報管理タグにおいて、上記上層材はセルロースナノファイバー製のシートであることを特徴とするものである。
又、請求項４による建設機械用情報管理タグは、請求項１〜請求項３の何れかに記載の建設機械用情報管理タグにおいて、上記下層材はマグネットシートであることを特徴とするものである。
又、請求項５による建設機械用情報管理タグは、請求項１〜請求項４の何れかに記載の建設機械用情報管理タグにおいて、上記基材、上記上層材、上記下層材は、それぞれ剥離可能であることを特徴とするものである。
又、請求項６による建設機械用情報管理タグは、請求項１〜請求項５の何れかに記載の建設機械用情報管理タグにおいて、上記建設機械のアウトリガーの内面に取り付けられることを特徴とするものである。
又、請求項７による建設機械用情報管理タグは、請求項１〜請求項５の何れかに記載の建設機械用情報管理タグにおいて、上記建設機械の目視可能部位に取り付けられることを特徴とするものである。
又、請求項８による建設機械用情報管理タグは、請求項１〜請求項７の何れかに記載の建設機械用情報管理タグにおいて、上記情報コードは二次元コードであることを特徴とするものである。
又、請求項９による建設機械は、請求項１から請求項８の何れかに記載の建設機械用情報管理タグを取り付けたことを特徴とするものである。
【考案の効果】
【００１１】
以上述べたように、本願考案の請求項１記載の建設機械用情報管理タグによると、建設機械に取り付けられ、情報コードが設けられた基材と、上記基材の上に積層された透明な上層材と、上記基材の下に積層され接着性又は吸着性を有する下層材と、を具備し、上記下層材を介して上記建設機械に取り付けられるため、建設機械における情報管理を紙媒体形式から情報端末形式に容易に変更することができ、それによって、建設現場における情報管理を簡素化できる。
又、請求項２記載の建設機械用情報管理タグによると、請求項１記載の建設機械用情報管理タグにおいて、上記基材は上記情報コードの印刷が可能な紙であるため、容易に情報コードを印刷できるとともに、廃棄も容易にすることができる。
又、請求項３記載の建設機械用情報管理タグによると、請求項１又は請求項２記載の建設機械用情報管理タグにおいて、上記上層材はセルロースナノファイバー製のシートであるため、上記基材を確実に保護できるとともに廃棄も容易にすることができる。
又、請求項４記載の建設機械用情報管理タグによると、請求項１〜請求項３の何れかに記載の建設機械用情報管理タグにおいて、上記下層材はマグネットシートであるため、容易に着脱できる。
又、請求項５記載の建設機械用情報管理タグによると、請求項１〜請求項４の何れかに記載の建設機械用情報管理タグにおいて、上記基材、上記上層材、上記下層材は、それぞれ剥離可能であるため、上記基材、上記上層材、及び、上記下層材のうちの一部の交換や修復、再利用を容易に行うことができる。
又、請求項６記載の建設機械用情報管理タグによると、請求項１〜請求項５の何れかに記載の建設機械用情報管理タグにおいて、上記建設機械のアウトリガーの内面に取り付けられるため、上記情報コードの読み取りを容易に行うことができるとともに、上記アウトリガーを折り畳んだ状態では上記情報コードを隠して情報を保護することができる。
又、請求項７記載の建設機械用情報管理タグによると、請求項１〜請求項５の何れかに記載の建設機械用情報管理タグにおいて、上記建設機械の目視可能部位に取り付けられるため、上記情報コードの読み取りを容易に行うことができる。
又、請求項８記載の建設機械用情報管理タグによると、請求項１〜請求項７の何れかに記載の建設機械用情報管理タグにおいて、上記情報コードは二次元コードであるため、上記建設機械用情報管理タグに多くの情報を記録することができる。
又、請求項９記載の建設機械によると、請求項１から請求項８の何れかに記載の建設機械用情報管理タグを取り付けたため、建設機械における情報管理を紙媒体形式から情報端末形式に容易に変更することができ、それによって、建設現場における情報管理を簡素化できる。
【図面の簡単な説明】
【００１２】
【図１】本考案の一実施の形態を示す図で、建設機械用情報管理タグの使用状態を示す図で、図１（ａ）は建設機械用情報管理タグを貼り付けた建設機械の斜視図、図１（ｂ）は図１（ａ）のＩｂ部の拡大図である。
【図２】本考案の一実施の形態を示す図で、建設機械用情報管理タグの平面図である。
【図３】本考案の一実施の形態を示す図で、建設機械用情報管理タグの情報コードの一例を示す図である。
【考案を実施するための形態】
【００１３】
以下、図１乃至図３を参照しながら、本考案の一実施の形態について説明する。まず、建設機械用情報管理タグ１は、建設機械としてのコンクリートポンプ車３のアウトリガー５に着脱可能に取り付けられている。上記ポンプ車３には４本のアウトリガー５、５、５、５が取り付けられていて、各アウトリガー５は、アーム５ａと、支柱５ｂとから構成されている。上記アーム５ａは水平方向に回動可能に取り付けられていて、使用時には、図示するように、ポンプ車３から離間するように回動されて展開される。一方、非使用時にはポンプ車３側に接近するように回動されてポンプ車３の側部に収納される。又、上記支柱５ｂは上記アーム５ａが展開された後下方に向かって突出・接地される。
【００１４】
上記建設機械用情報管理タグ１は、上記４本のアウトリガー５、５、５、５の内の前方右側の１本のアウトリガー５のアーム５ａの内面に取り付けられている。ここで規定する内面とは非使用時にポンプ車３の側部に収納される際ポンプ車３側に面した面を意味する。これは次のような理由による。通常、上記コンクリートポンプ車３が建設現場において使用される場合、建設機械を操作する作業者の保有する資格も記録されている。このような情報は個人情報に属するものであり、そこで、それら個人情報の漏洩を防ぐため、上記建設機械用情報管理タグ１を上記アウトリガー５のアーム５ａの内面に取り付けている。それによって、上記建設機械用情報管理タグ１は非使用時にはアウトリガー５のアーム５ａとコンクリートポンプ車３との間に隠れて視認不可の状態となる。
【００１５】
上記建設機械用情報管理タグ１に記録された機械情報は、建設現場において、例えば、図示しない携帯情報端末によって読み取られる。この読み取られた上記建設機械の機械情報は元請けである使用者に提出される。紙媒体で提出されていた建築機械の機械情報の代わりに、上記建設機械用情報管理タグ１から読み取った上記建設機械の機械情報を提出し、上記元請けである使用者の情報管理システムに入力する。それによって、建設機械における情報管理を紙媒体形式から情報端末形式に容易に変更することが可能になる。
【００１６】
図２に示すように、この一実施の形態による建設機械用情報管理タグ１は、基材１３と、上記基材１３の上面（図２中紙面方向手前側の面）に積層された上層材１５と、上記基材１３の下面（図２中紙面方向奥側の面）に積層された下層材１７とから構成されている。
【００１７】
上記基材１３は、例えば、印刷可能な紙製のシート状部材であり、表面（図２中紙面方向手前側の面）には情報コード２１が印刷されている。上記情報コード２１には、建設機械の機械情報、すなわち、例えば、建設機械の年次点検記録、仕様書、運転時間、建設機械を操作する作業者の情報、等、元請けである使用者に対して提供することが義務化されている情報が記録されている。
【００１８】
又、上記情報コード２１は、図３に示すように、例えば、ＱＲコード（登録商標）である。上記情報コード２１には、３個の切出シンボル２３、２５、２７が配置されている。これらにより上記情報コード２１の位置、大きさ、及び、傾きが規定され、図示しないスキャナーが如何なる方向から読み取っても、高速でデコードできるようになっている。例えば、ＱＲコード（登録商標）である上記情報コード２１は、他の方式の２次元バーコードに対して約１０倍から１５倍のスピードで読み取る事が可能である。
【００１９】
上記情報コード２１には、図３に示すように、データセル２９と、タイミングパターン３１、３３、及び、マージン３５がある。上記データセル２９は上記コンクリートポンプ車３の機械情報が所定の符号パターンとして記録されているデータ領域である。上記データセル２９には、上記コンクリートポンプ車３の機械情報が「０」と「１」の２値化符号化され、複数の白／黒セルの二次元的な配置をして表示されている。又、上記データセル２１９にはデータそのものとデータ復元コード（リードソロモン符号）が記録されている。
【００２０】
又、上記データセル２９とタイミングパターン３１、３３の外周側には上記マージン３５が確保されている。上記マージン３５は上記情報コード２１の認識及び読み取りに必要とされる余白で、図２中上下方向及び左右方向のそれぞれに、上記白／黒セルの一つあたりの大きさの４倍以上必要とされる。
上記タイミングパターン３１、３３は、上記データセル２９の中心座標を求めるために用いられるパターンであり、上記情報コード２１が歪んだり上記複数の白／黒セル間のピッチに誤差が生じている場合でも、上記データセル２９の中心座標を補正することで、上記情報コード２１を正確に読み取るために用いられる。
【００２１】
尚、上記情報コード２１として、カメレオンコード（登録商標）等の二次元コードを用いる場合もある。
【００２２】
上記上層材１５は、例えば、セルロースナノファイバー（ＣＮＦ：Ｃｅｌｌｕｌｏｓｅ  Ｎａｎｏ  Ｆｉｂｅｒ）製のシートであり、透明で、引張強度に優れている。又、上記上層材１５は、パルプ等の木質由来の原料から製造されているので、石油由来の樹脂ではなく、廃棄時には可燃ゴミとして廃棄できる。
又、上記上層材１５の裏側の面には、例えば、アクリル系粘着剤による粘着層が設けられている。図２に示すように、上記基材１３を完全に覆い隠すように、上記基材１３及び上記下層材１７に対して貼り付けられている。上記粘着層の粘着力を適宜設定することで、上記基材１３を上記上層材１５に対して剥離可能としている。
【００２３】
上記下層材１７は磁性材料からなるマグネットシートである。そのため、上記建設機械用情報管理タグ１は、上記コンクリートポンプ車３のアウトリガー５のアーム５ａの内面に着脱可能に取り付けられている。  又、上記下層材１７の表面側には、例えば、ポリエチレンのラミネート層が設けられていて、上記上層材１５は上記下層材１７に対して上記粘着層を介して剥離可能に貼り付けられている。
【００２４】
次に、この一実施の形態による作用について説明する。
まず、建設機械用情報管理タグ１を利用した情報管理について説明する。
初めに、コンクリートポンプ車３のアウトリガー５のアーム５ａの内面に建設機械用情報管理タグ１を取り付ける。下層材１７はマグネットシートであるため、上記建設機械用情報管理タグ１は上記アウトリガー５のアーム５ａに対して容易に着脱可能である。
【００２５】
次に、建設現場において、図示しない携帯情報端末によって、上記建設機械用情報管理タグ１の情報コード２１を読み取る。
次に、上記情報コード２１から読み取った上記建設機械の機械情報を元請けである使用者に提出し、上記元請けである使用者の情報管理システムに入力する。このような作業のみで、建設機械における情報管理を紙媒体形式から情報端末形式に容易に変更される。
【００２６】
次に、上記建設機械用情報管理タグ１の廃棄について説明する。
上層材１５はセルロースナノファイバー製であるため、基材１３及び下層材１７から容易に剥離され、例えば、焼却される。
又、基材１３は紙製であるため、上記下層材１７から剥離され、例えば、焼却される。
上記下層材１７は、例えば、別の基材１３や上層材１５と組み合わされることで再利用される。
【００２７】
次に、この一実施の形態による効果について説明する。
建設機械用情報管理タグ１の基材１３には情報コード２１があり、この情報コード２１を図示しない携帯端末で読み取り、読み取った建設機械の機械情報を元請けである使用者の情報管理システムに入力することで、建設機械における情報管理を紙媒体形式から情報端末形式に容易に変更することができ、それによって、建設現場における情報管理を簡素化できる。
【００２８】
又、上記建設機械用情報管理タグ１の基材１３、上層材１５、及び、下層材１７は、それぞれ剥離可能であるため、入れ替えや修復、再利用を容易に行うことができる。
又、上記基材１３は紙製であり、廃棄が容易である。
又、上記上層材１５はセルロースナノファイバー製であるため、植物由来の原料から製造され、環境負荷が低いとともに、廃棄も容易である。
又、上記上層材１５によって上記基材１３を覆うため、上記基材１３、ひいては、情報コード２１を確実に保護することができる。
【００２９】
又、上記下層材１７はマグネットシートであり、上記コンクリートポンプ車３のアウトリガー５のアームの５ａの内面に対して容易に着脱可能とすることができる。
又、上記建設機械用情報管理タグ１は上記コンクリートポンプ車３のアウトリガー５のアームの５ａの内面に取り付けられているため、例えば、非使用時にアウトリガー５を収納すると、アウトリガー５のアーム５ａとコンクリートポンプ車３との間に隠れて視認不可の状態となり、それによって、個人情報の漏洩の懸念を軽減させることができる。
又、上記情報コード２１は、ＱＲコード（登録商標）やカメレオンコード（登録商標）であるため、多くの情報を記録することができる。
【００３０】
尚、本考案は前記一実施の形態に限定されない。
まず、情報コードとしては、その他の二次元コードの他、バーコードのような一次元コードの場合も考えられる。
又、下層材はマグネットシートの他、シリコンなどの繰り返し接着できる接着層を有するシートである場合等が考えられる。
又、下層材の表面側に適切な強さの粘着層を設けて、上層材及び基材に対して剥離可能とすることも考えられる。
又、取付部位としては、アウトリガーの他、車体表面等、目視可能な場所であっても良い。
又、建設機械も、クレーン車、ショベルカー等様々な場合が考えられる。
その他、図示した構成はあくまで一例である。
【産業上の利用可能性】
【００３１】
本考案は、建設機械用情報管理タグと建設機械に係り、特に、建設機械における情報管理を紙媒体形式から情報端末形式に容易に変更することができ、それによって、建設現場における情報管理を簡素化できるように工夫したものに関し、例えば、コンクリートポンプ車の情報管理に好適である。
【符号の説明】
【００３２】
１  建設機械用情報管理タグ
３  コンクリートポンプ車（建設機械）
５  アウトリガー
１３  基材
１５  上層材
１７  下層材
２１  情報コード
【図１】
0003229406.tif 000003
【図２】
0003229406.tif 000004
【図３】
0003229406.tif 000005